(57)【要約】【課題】外観の意匠性を向上させつつ、プライバシーの保護性を向上させることのできる住宅を提供すること。【解決手段】仕切り壁（５）を介して屋内空間（３）と半屋外空間（４）とが隣接して設けられる住宅（１）である。半屋外空間（４）は、勾配屋根（２）の勾配に沿って形成される軒部（２１）と、床部（４１）と、床部（４１）の外方側端部に設けられ、仕切り壁（５）よりも低い屋外立壁（４３）と、屋内空間（３）と半屋外空間（４）とを仕切る仕切り壁（５）とで囲まれる。仕切り壁（５）には、開口部（５１）が設けられる。軒部（２）は、その先端部（２１ａ）と仕切り壁（５）との距離が、屋外立壁（４）と仕切り壁（５）との距離よりも長くなるように、屋外立壁（４３）の外方に延出する。【選択図】図２
2016132883.tif 000002
【特許請求の範囲】
【請求項１】
仕切り壁を介して屋内空間と半屋外空間とが隣接して設けられる住宅であって、
前記半屋外空間は、勾配屋根の勾配に沿って形成される軒部と、床部と、前記床部の外方側端部に設けられ、前記仕切り壁よりも低い屋外立壁と、前記屋内空間と前記半屋外空間とを仕切る前記仕切り壁とで囲まれ、
前記仕切り壁には、開口部が設けられ、
前記軒部は、その先端部と前記仕切り壁との距離が、前記屋外立壁と前記仕切り壁との距離よりも長くなるように、前記屋外立壁の外方に延出する、住宅。
【請求項２】
前記屋外立壁の上端位置から前記軒部の裏面の先端位置までの垂直方向における距離は、２８０〜１２００ｍｍである、請求項１に記載の住宅。
【請求項３】
前記屋外立壁から前記軒部の先端部までの水平方向における突出距離は、２８０〜７６０ｍｍである、請求項１または２に記載の住宅。
【請求項４】
前記屋外立壁の高さ寸法は、１２００ｍｍ以上である、請求項１〜３のいずれかに記載の住宅。
【請求項５】
前記屋外立壁の下端部は、透光性部材で構成されている、請求項１〜４のいずれかに記載の住宅。
【請求項６】
前記屋内空間は床部を含み、前記半屋外空間の床部の高さと前記屋内空間の床部の高さは同じである、請求項１〜５のいずれかに記載の住宅。
【請求項７】
前記半屋外空間の床部は、前記仕切り壁に隣接し、座面となる第１の床部と、当該第１の床部に隣接し、前記第１の床部よりも高さの低い第２の床部とを有する、請求項１〜５のいずれかに記載の住宅。
【請求項８】
前記第１の床部の高さは、前記屋内空間の床部の高さと略同一である、請求項７に記載の住宅。
【請求項９】
前記半屋外空間は、上階にあり、前記軒部は、下階から延びる化粧柱によって支持されている、請求項１〜８のいずれかに記載の住宅。
【発明の詳細な説明】
【技術分野】
【０００１】
この発明は、半屋外空間を備えた住宅に関する。
【背景技術】
【０００２】
従来から、屋内につながる屋外空間として、半屋外空間が設けられた住宅が存在する。特開平１１−６２２７８号公報（特許文献１）には、このような住宅において、勾配屋根を切り欠いて半屋外空間としてのバルコニーを設けることが開示されている。
【先行技術文献】
【特許文献】
【０００３】
【特許文献１】特開平１１−６２２７８号公報
【発明の概要】
【発明が解決しようとする課題】
【０００４】
特許文献１のような住宅は、単に、採光性と通気性を重視した構造であり、プライバシーの保護性を意識した構造ではない。また、勾配屋根が切り欠かれているため、住宅の外観の意匠性も劣る。
【０００５】
本発明は、上記のような課題を解決するためになされたものであって、その目的は、外観の意匠性を向上させつつ、プライバシーの保護性を向上させることのできる住宅を提供することである。
【課題を解決するための手段】
【０００６】
この目的のため本発明による住宅は、仕切り壁を介して屋内空間と半屋外空間とが隣接して設けられる住宅である。半屋外空間は、勾配屋根の勾配に沿って形成される軒部と、床部と、床部の外方側端部に設けられ、仕切り壁よりも低い屋外立壁と、屋内空間と半屋外空間とを仕切る仕切り壁とで囲まれている。仕切り壁には、開口部が設けられる。軒部は、その先端部と仕切り壁との距離が、屋外立壁と仕切り壁との距離よりも長くなるように、屋外立壁の外方に延出する。
【０００７】
好ましくは、屋外立壁の上端位置から軒部の裏面の先端位置までの垂直方向における距離は、２８０〜１２００ｍｍである。
【０００８】
好ましくは、屋外立壁から軒天部の先端部までの水平方向における突出距離は、２８０〜７６０ｍｍである。
【０００９】
好ましくは、屋外立壁の高さ寸法は、１２００ｍｍ以上である。
【００１０】
好ましくは、屋外立壁の下端部は、透光性部材で構成されている。
【００１１】
好ましくは、屋内空間は床部を含み、半屋外空間の床部の高さと屋内空間の床部の高さは同じである。
【００１２】
好ましくは、半屋外空間の床部は、仕切り壁に隣接し、座面となる第１の床部と、第１の床部に隣接し、第１の床部よりも高さの低い第２の床部とを有する。
【００１３】
好ましくは、第１の床部の高さは、屋内空間の床部の高さと略同一である。
【００１４】
好ましくは、半屋外空間は、上階にあり、軒天部は、下階から延びる化粧柱によって支持されている。
【発明の効果】
【００１５】
本発明によれば、外観の意匠性を向上させつつ、プライバシーの保護性を向上させることができる。
【図面の簡単な説明】
【００１６】
【図１】本発明の実施の形態に係る住宅の外観を模式的に示す図である。
【図２】本発明の実施の形態に係る住宅の構造例を模式的に示す断面図である。
【図３】本発明の実施の形態に係る住宅の構造例を模式的に示す断面図である。
【図４】本発明の実施の形態に係る住宅の他の構造例を模式的に示す断面図である。
【図５】本発明の実施の形態に係る住宅の他の構造例を模式的に示す断面図である。
【発明を実施するための形態】
【００１７】
本発明の実施の形態について図面を参照しながら詳細に説明する。なお、図中同一または相当部分には同一符号を付してその説明は繰り返さない。
【００１８】
本実施の形態に係る住宅は、勾配屋根を備えている。本実施の形態において勾配屋根とは、勾配を有する屋根であればよく、切妻屋根、寄棟屋根、片流れ屋根などを含む。
【００１９】
まず、図１，２を参照して、本実施の形態に係る住宅１の概要について説明する。
【００２０】
本実施の形態に係る住宅１は、複数階建ての住宅、たとえば、２階建て住宅である。住宅１は、切妻屋根である勾配屋根２を備えている。本実施の形態に係る住宅１では、勾配屋根２の桁側１１を正面としている。半屋外空間４は、たとえば上階（２階）に位置するバルコニーであり、正面の外壁の全幅にわたって形成される。なお、住宅１の正面の１階の外壁には、玄関７が設けられている。
【００２１】
半屋外空間４の上方空間は、勾配屋根２の勾配に沿って形成される軒部２１によって覆われている。すなわち、半屋外空間４の天井部は、いわゆる戻り軒天であり、勾配屋根２の勾配に沿った勾配を有する軒天部４２である。軒天部４２は、軒部２１の裏面を構成する。なお、軒天部４２の先端４２ａには、雨どい４６が設けられている。
【００２２】
半屋外空間４は、仕切り壁５を介して屋内空間３と隣接して設けられている。屋内空間３は、リビングルームやダイニングルームなどの居室空間に限られず、廊下などの非居室空間であってもよい。屋内空間３の天井部３２は、勾配屋根２の小屋梁の部分に、水平に配置されていてもよい。屋内空間３の床部３１の高さは、半屋外空間４の床部４１の高さと略同一である。
【００２３】
仕切り壁５には、開口部５１が設けられる。開口部５１は、たとえば、幅方向にスライド可能な複数の掃き出し窓により形成されている。開口部５１は、仕切り壁５の全幅にわたって形成されていてもよいし、仕切り壁５の一部に形成されていてもよい。
【００２４】
次に、半屋外空間４について詳細に説明する。以下、住宅１の正面側を前方という。また、水平面上において、前後方向と直交する方向を左右方向という。図２には、仕切り壁５を基準として外方側、すなわち、前方側を矢印Ａ１で示している。
【００２５】
半屋外空間４の床部４１は、平坦であり、軒天部４２と対向している。床部４１の外方側端部（前方側端部）には、仕切り壁５よりも低い屋外立壁４３が設けられる。屋外立壁４３は、外壁と同様の壁体によって構成される。屋外立壁４３は、仕切り壁５と対向している。そのため、半屋外空間４は、軒部２１と床部４１と屋外立壁４３と仕切り壁５とに囲まれている。なお、本実施の形態では、床部４１の左右方向端部にも、屋外立壁４３０がそれぞれ設けられている。
【００２６】
ここで、半屋外空間４の上方に位置する軒部２１は、屋外立壁４３よりも前方（外方）に延出している。つまり、図３に示されるように、軒部２１の先端部２１ａと仕切り壁５との距離Ｄ１が、屋外立壁４３と仕切り壁５との距離Ｄ２よりも長くなる。距離Ｄ１は、軒部２１のたとえば最先端の位置と仕切り壁５との距離であり、距離Ｄ２は、屋外立壁４３の屋外（外方）側の面と仕切り壁５との距離である。したがって、軒部２１は、距離Ｄ３だけ屋外立壁４３から前方に突出している。具体的には、屋外立壁４３から軒部２１の先端部２１ａ（たとえば、最先端の位置）までの水平方向における突出距離Ｄ３は、２８０〜７６０ｍｍであることが望ましい。なお、距離Ｄ１，Ｄ２を定める軒部２１の先端部２１ａの位置は、先端部２１ａに限定されず、軒天部４２の先端４２ａの位置であってもよい。
【００２７】
半屋外空間４に配置される一般的な屋外立壁の高さ寸法は１１００ｍｍ以下であるが、本実施の形態では、屋外立壁４３の高さ寸法Ｈは、１２００ｍｍ以上、さらに望ましくは１８００ｍｍ以上であり、一般的な腰壁よりも高い。そのため、屋外立壁４３の上端４３ａの高さから、軒部２１の先端部２１ａの高さまでの間隔が通常よりも小さい。具体的には、屋外立壁４３の上端４３ａの位置から軒天部４２の先端４２ａの位置までの垂直方向における距離Ｅ１は、２８０〜１２００ｍｍであることが望ましい。また、屋外立壁４３の上端４３ａから直上の軒天部４２までの垂直方向における距離（間隔）Ｅ２は、４００〜１２００ｍｍであることが望ましい。
【００２８】
このような構造にすることで、図１に示すように、住宅１を正面から見た場合に、屋外立壁４３と勾配屋根２との隙間が小さいので、外部から半屋外空間４内を視認することができず、２階のプライバシーの保護性を高めることができる。また、屋外立壁４３を一般的な腰壁よりも高く設計しているため、住宅１を正面から見た場合に、勾配屋根２が下がって見え、住宅１全体を低く抑えた落ち着き感のある印象を与えることができる。
【００２９】
また、半屋外空間４につながる屋内空間３において、外気を感じられつつ、自分だけの空間のような「こもり感」を感じることができる。さらに、屋外立壁４３と勾配屋根２の間は、隙間があいているため、屋内空間３または半屋外空間４において空を眺めることもできる。また、軒部２１の先端部２１ａが屋外立壁４３の外方に突出しているため、雨が半屋外空間４に入りにくい。
【００３０】
なお、図１に示されるように、正面の１階の外壁６は、２階の半屋外空間４の屋外立壁４３よりも奥まった位置に設けられ、その左右両端に袖壁６３が設けられていてもよい。この場合、屋外立壁４３の前面（屋外側の面）と袖壁６３の前端面は面一になっていることが望ましい。これにより、住宅１に重厚感のある印象を与えることができる。
【００３１】
また、半屋外空間４の軒部２１を支持する化粧柱４４は、１階から延びていてもよい。具体的には、化粧柱４４は、２階の床部４１を貫通するように、軒天部４２と１階の床部６１との間に配置されている。化粧柱４４は、半屋外空間４の左右方向の中間位置に配置されている。これにより、意匠性が向上する。
【００３２】
図４は、住宅１の他の構造例を模式的に示す図である。図４に示すように、屋外立壁４３のたとえば下端部４３ｂは、透光性部材で構成されている透光部４５が設けられる。透光部４５は、典型的には、透明または半透明のガラスブロックである。透光部４５は、屋外立壁４３の全幅にわたって設けられていてもよいし、屋外立壁４３の一部に設けられていてもよい。このような構造とされることで、透光部４５を介して屋外立壁４３の下端部から光を取り入れることができるため、屋外立壁４３と勾配屋根２との間隔が狭くても、半屋外空間４が暗くなりすぎることを防止できる。
【００３３】
なお、透光部４５を開口とすることで、外気も取り入れ可能としてもよい。なお、下端部は、完全な端部を意味するのではなく、端部付近も含むものとする。
【００３４】
さらに、軒部２１にも部分的に透光部４５を設けてもよい。あるいは、屋外立壁４３の少なくとも一部をスクリーンフェンスのように形成し、複数の透光部４５が設けられてもよい。
【００３５】
図５は、住宅１のさらに他の構造例を模式的に示す断面図である。本実施の形態において、半屋外空間４の床部４１は平坦であるとしたが、段差を形成してもよい。図５に示すように、半屋外空間４Ａは、仕切り壁５に隣接し、座面となる第１の床部４１ａと、第１の床部に隣接し、第１の床部４１ａよりも高さの低い第２の床部４１ｂとを有している。第１の床部４１ａの高さは、屋内空間３の床部３１の高さと略同一であってもよい。このような構造とされることで、第１の床部４１ａに屋外側を向いて腰を掛けることで、低い位置でくつろぐことができる。さらに、半屋外空間４Ａを有効活用するために、第２の床部４１ｂ上に机４７を配置してもよい。
【００３６】
本実施の形態の住宅１は、半屋外空間４が住宅１の正面側の２階外壁の全幅にわたり設けるとしたが、半屋外空間４は２階の一部分に形成されていてもよい。あるいは、半屋外空間４は、１階に設けられていてもよく、その場合、半屋外空間４は、たとえば、テラスであってもよい。
【００３７】
本実施の形態の住宅１では、勾配屋根２の桁側１１を正面としたが、これに限定されるものではない。一般的には、正面とは、玄関がある面や、道路に面している面をいう。
【００３８】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【符号の説明】
【００３９】
１  住宅、２  勾配屋根、３  屋内空間、４  半屋外空間、５  仕切り壁、６  外壁、７  玄関、１１桁側、２１  軒部、２１ａ  先端部、３１  床部、３２  天井部、４１  床部、４２  軒天部、４２ａ  先端、４３  屋外立壁、４４  化粧柱、４５  透光部、４６  雨どい、４７  机、５１  開口部、６１  床部、６３  袖壁。
【図１】
2016132883.tif 000003
【図２】
2016132883.tif 000004
【図３】
2016132883.tif 000005
【図４】
2016132883.tif 000006
【図５】
2016132883.tif 000007